(57)【要約】【課題】ユーザーの利便性を向上する。【解決手段】画像形成装置１００は、トナー供給部１３と、画像形成部４と、第１判定部８０１と、第２判定部８０２と、変更部８０５とを備える。トナー供給部１３は、複数色のトナーＴＮをそれぞれ収容する複数のトナーコンテナＴＣが装着される。画像形成部４は、複数色のトナーＴＮのうちの少なくとも１つのトナーＴＮを消費することによって用紙Ｐに画像Ｍを形成する。第１判定部８０１は、複数のトナーコンテナＴＣの各々が第１コンテナＴＣ１であるか、第２コンテナＴＣ２であるかを判定する。第２判定部８０２は、画像Ｍを示す画像情報ＭＪがグラフオブジェクトＢＧを含むか否かを判定する。変更部８０５は、第１判定部８０１の判定結果と第２判定部８０２の判定結果とに基づいて、グラフオブジェクトＢＧの画像形態を変更する。【選択図】図４
2019136871.tif 000002
【特許請求の範囲】
【請求項１】
複数色の消耗品をそれぞれ収容する複数の交換部品が装着される装着部と、
前記複数色の消耗品のうちの少なくとも１つの消耗品を消費することによって記録媒体に画像を形成する画像形成部と、
前記複数の交換部品の各々が第１交換部品であるか、第２交換部品であるかを判定する第１判定部と、
前記画像を示す画像情報がグラフオブジェクトを含むか否かを判定する第２判定部と、
前記第１判定部の判定結果と前記第２判定部の判定結果とに基づいて、前記グラフオブジェクトの画像形態を変更する変更部と
を備え、
前記画像形態は、前記グラフオブジェクトに対応するグラフ画像の形態を示す、画像形成装置。
【請求項２】
前記画像形態は、グラフ形式を含み、
前記グラフオブジェクトの前記グラフ形式が、第１グラフ形式であるか否かを判定する第３判定部を更に備え、
前記変更部は、前記第３判定部の判定結果に基づいて、前記グラフオブジェクトの前記グラフ形式を変更する、請求項１に記載の画像形成装置。
【請求項３】
前記第１グラフ形式は、円グラフ、及び棒グラフの少なくとも一方を含む、請求項２に記載の画像形成装置。
【請求項４】
前記変更部は、前記グラフオブジェクトの前記グラフ形式を前記第１グラフ形式から前記第１グラフ形式と相違する第２グラフ形式に変更する、請求項２又は請求項３に記載の画像形成装置。
【請求項５】
前記第２グラフ形式は、棒グラフ、及び折れ線グラフの少なくとも一方を含む、請求項４に記載の画像形成装置。
【請求項６】
前記画像形態は、前記グラフオブジェクトに対応するグラフ画像のサイズを含み、
前記グラフ形式の変更を許可するか否かを判定する第４判定部を更に備え、
前記変更部は、前記第４判定部の判定結果に基づいて、前記サイズを変更する、請求項２から請求項５のいずれか１項に記載の画像形成装置。
【請求項７】
前記画像情報に対して文字認識処理を実行し、テキスト情報を生成する処理部と、
前記テキスト情報が、第１テキスト情報を含むか否かを判定する第５判定部と、
前記第５判定部の判定結果に基づき、前記画像情報から前記グラフオブジェクトを抽出する抽出部と
を更に備え、
前記第１テキスト情報は、「図」という文字、又は「グラフ」という文字を示す、請求項１から請求項６のいずれか１項に記載の画像形成装置。
【請求項８】
前記テキスト情報が、第２テキスト情報を含むか否かを判定する第６判定部を更に備え、
前記抽出部は、前記第６判定部の判定結果に基づき、前記画像情報から前記グラフオブジェクトを抽出し、
前記第２テキスト情報は、「上図」という文字、「下図」という文字、「右図」という文字、又は「左図」という文字を示す、請求項７に記載の画像形成装置。
【発明の詳細な説明】
【技術分野】
【０００１】
本発明は、画像形成装置に関する。
【背景技術】
【０００２】
特許文献１に記載の画像形成装置は、制御部と、プリンター部とを備える。制御部は、原稿が文字ページか写真ページかを判定する。プリンター部は、原稿が文字ページである場合には、文字モードで画像を形成し、原稿が写真ページである場合には、ハーフトーンモードで画像を形成する。文字ページと写真ページとが混在した複数枚の原稿の画像を形成する場合には、制御部は、ユーザーからの入力に基づき、文字モードで全ページの画像を形成するか否かを決定する。
【先行技術文献】
【特許文献】
【０００３】
【特許文献１】特開平１０−３０７４３５号公報
【発明の概要】
【発明が解決しようとする課題】
【０００４】
特許文献１に記載の画像形成装置では、非専用コンテナが装着されている場合には、ユーザーが所望する品質の画像が得られない可能性がある。すなわち、非専用コンテナに収納されたトナーの品質は、専用コンテナに収納されたトナーの品質と比較して低い可能性がある。よって、非専用コンテナが装着されている場合には、ハーフトーンモードで写真ページの画像を形成する場合であっても、ユーザーが所望する品質の画像が得られない可能性がある。そこで、ユーザーの利便性が充分ではない可能性がある。
【０００５】
本発明は、上記課題に鑑みてなされたものであり、ユーザーの利便性を向上することが可能な画像形成装置を提供することを目的としている。
【課題を解決するための手段】
【０００６】
本発明に係る画像形成装置は、装着部と、画像形成部と、第１判定部と、第２判定部と、変更部とを備える。前記装着部は、複数色の消耗品をそれぞれ収容する複数の交換部品が装着される。前記画像形成部は、前記複数色の消耗品のうちの少なくとも１つの消耗品を消費することによって前記記録媒体に画像を形成する。前記第１判定部は、前記複数の交換部品の各々が前記第１交換部品であるか、前記第２交換部品であるかを判定する。前記第２判定部は、前記画像を示す画像情報がグラフオブジェクトを含むか否かを判定する。前記変更部は、前記第１判定部の判定結果と前記第２判定部の判定結果とに基づいて、前記グラフオブジェクトの画像形態を変更する。
【発明の効果】
【０００７】
本発明の画像形成装置によれば、ユーザーの利便性を向上できる。
【図面の簡単な説明】
【０００８】
【図１】本発明の実施形態に係る画像形成装置の構成の一例を示す図である。
【図２】本発明の実施形態に係る画像形成部の構成の一例を示す図である。
【図３】（ａ）は、円グラフの一例を示す図である。（ｂ）は、棒グラフの一例を示す画面図である。
【図４】本発明の実施形態に係る制御部の構成の一例を示す図である。
【図５】（ａ）は、棒グラフの一例を示す図である。（ｂ）は、折れ線グラフの一例を示す図である。
【図６】制御部の変更処理の一例を示すフローチャートである。
【図７】制御部の変更処理の一例を示すフローチャートである。
【図８】本発明の実施形態に係る制御部の構成の一例を示す図である。
【図９】用紙に形成する画像を示す画像情報の一例を示す図である。
【図１０】制御部の処理の一例を示すフローチャートである。
【図１１】制御部の抽出処理の一例を示すフローチャートである。
【図１２】制御部の抽出処理の一例を示すフローチャートである。
【図１３】制御部の抽出処理の一例を示すフローチャートである。
【図１４】制御部の探索処理の一例を示すフローチャートである。
【図１５】制御部の探索処理の一例を示すフローチャートである。
【発明を実施するための形態】
【０００９】
以下、本発明の実施形態について、図面（図１〜図１５）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成を示す図である。画像形成装置１００は、カラー複合機である。
【００１１】
図１に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像Ｍを読み取り、画像情報ＭＪを生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１２】
画像形成ユニット１は、給送部１２、搬送部Ｌ、トナー供給部１３、画像形成部４、定着部１６及び排出部１７を備える。画像形成部４は、転写部５を含む。
【００１３】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１４】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１５】
トナーコンテナＴＣｃには、シアン色のトナーＴＮ１が収納される。トナーコンテナＴＣｃは、画像形成部４にシアン色のトナーＴＮ１を供給する。トナーコンテナＴＣｍには、マゼンタ色のトナーＴＮ２が収納される。トナーコンテナＴＣｍは、画像形成部４にマゼンタ色のトナーＴＮ２を供給する。トナーコンテナＴＣｙには、イエロー色のトナーＴＮ３が収納される。トナーコンテナＴＣｙは、画像形成部４にイエロー色のトナーＴＮ３を供給する。トナーコンテナＴＣｋには、黒色のトナーＴＮ４が収納される。トナーコンテナＴＣｋは、画像形成部４に黒色のトナーＴＮ４を供給する。シアン色のトナーＴＮ１、マゼンタ色のトナーＴＮ２、イエロー色のトナーＴＮ３及び黒色のトナーＴＮ４の各々は、「消耗品」の一例に相当する。以下の説明において、シアン色のトナーＴＮ１、マゼンタ色のトナーＴＮ２、イエロー色のトナーＴＮ３及び黒色のトナーＴＮ４の各々を、トナーＴＮと総称する場合がある。
【００１６】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００１７】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４の各々を、ＩＣタグ６と総称する場合がある。また、識別情報ＪＤｃ、識別情報ＪＤｍ、識別情報ＪＤｙ及び識別情報ＪＤｋの各々を、識別情報ＪＤと総称する場合がある。
【００１８】
トナー供給部１３には、トナーコンテナＴＣｃ〜トナーコンテナＴＣｋが着脱自在である。トナー供給部１３は、リーダー７１、リーダー７２、リーダー７３及びリーダー７４を備える。
【００１９】
リーダー７１は、ＩＣタグ６１からトナーコンテナＴＣｃの識別情報ＪＤｃを読み取る。リーダー７２は、ＩＣタグ６２からトナーコンテナＴＣｍの識別情報ＪＤｍを読み取る。リーダー７３は、ＩＣタグ６３からトナーコンテナＴＣｙの識別情報ＪＤｙを読み取る。リーダー７４は、ＩＣタグ６４からトナーコンテナＴＣｋの識別情報ＪＤｋを読み取る。以下の説明において、リーダー７１〜リーダー７４の各々を、リーダー７と総称する場合がある。
【００２０】
画像形成部４は、用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。画像形成部４については、後述にて図２を参照して詳細に説明する。
【００２１】
定着部１６は、用紙Ｐを加熱及び加圧し、用紙Ｐに形成された画像を用紙Ｐに定着する。排出部１７は、用紙Ｐを画像形成装置１００の外部に排出する。
【００２２】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。
【００２３】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。
【００２４】
次に、図１及び図２を参照して、本発明の実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。
【００２５】
画像形成部４ｃ、画像形成部４ｍ、画像形成部４ｙ及び画像形成部４ｋの各々は、露光部４１、感光体ドラム４２、現像部４３、帯電ローラー４４及びクリーニングブレード４５を備える。画像形成部４ｃ、画像形成部４ｍ、画像形成部４ｙ及び画像形成部４ｋの各々の構成は、供給されるトナーの色が異なるのみで、その他の構成は略同一である。したがって、以下の説明では、シアン色のトナーＴＮ１が供給される画像形成部４ｃの構成について説明し、画像形成部４ｃ以外の画像形成部４ｍ、画像形成部４ｙ及び画像形成部４ｋの構成についての説明は省略する。
【００２６】
画像形成部４ｃは、露光部４１ｃ（４１）、感光体ドラム４２ｃ（４２）、現像部４３ｃ（４３）、帯電ローラー４４ｃ（４４）及びクリーニングブレード４５ｃ（４５）を有する。
【００２７】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーＴＮ１を供給し、静電潜像を現像してトナー像を形成する。このようにして、感光体ドラム４２ｃの周面にシアン色のトナー像が形成される。
【００２８】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアン色のトナーＴＮ１が除去される。
【００２９】
転写部５は、用紙Ｐにトナー像を転写する。転写部５は、一次転写ローラー５１、二次転写ローラー５２、駆動ローラー５３、中間転写ベルト５４、従動ローラー５５及びブレード５６を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３０】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーＴＮを除去する。
【００３１】
二次転写ローラー５２は、駆動ローラー５３に押圧され、二次転写ローラー５２と駆動ローラー５３との間にニップ部Ｎが形成される。二次転写ローラー５２は、用紙Ｐがニップ部Ｎを通過する際に、中間転写ベルト５４上のトナー像を用紙Ｐに転写する。
【００３２】
次に、図１〜図３を参照して、円グラフＧ１と棒グラフＧ２とについて説明する。図３は、好きな麺類の種類毎の人数の割合を示す。図３（ａ）は、円グラフＧ１の一例を示す図である。図３（ａ）に示すように、円グラフＧ１は、凡例ＬＧとグラフ本体Ｇ１０とを有する。
【００３３】
グラフ本体Ｇ１０は、円形に形成され、第１画像Ｇ１１、第２画像Ｇ１２、第３画像Ｇ１３及び第４画像Ｇ１４を有する。第１画像Ｇ１１〜第４画像Ｇ１４の各々は、扇型形状に形成される。第１画像Ｇ１１は、第１色Ｃ１（例えば、青色）で形成される。第１画像Ｇ１１の内部には、グラフ本体Ｇ１０に対する第１画像Ｇ１１の割合を示す数字（例えば、４０％）が記載されている。第２画像Ｇ１２は、第２色Ｃ２（例えば、赤色）で形成される。第２画像Ｇ１２の内部には、グラフ本体Ｇ１０に対する第２画像Ｇ１２の割合を示す数字（例えば、３０％）が記載されている。
【００３４】
第３画像Ｇ１３は、第３色Ｃ３（例えば、緑色）で形成される。第３画像Ｇ１３の内部には、グラフ本体Ｇ１０に対する第３画像Ｇ１３の割合を示す数字（例えば、２０％）が記載されている。第４画像Ｇ１４は、第４色Ｃ４（例えば、紫色）で形成される。第４画像Ｇ１４の内部には、グラフ本体Ｇ１０に対する第４画像Ｇ１４の割合を示す数字（例えば、１０％）が記載されている。第１色Ｃ１〜第４色Ｃ４は、互いに相違する色を示す。
【００３５】
凡例ＬＧは、第１サンプル画像Ｐ１、第２サンプル画像Ｐ２、第３サンプル画像Ｐ３及び第４サンプル画像Ｐ４を含む。第１サンプル画像Ｐ１は、矩形状の画像が第１色Ｃ１で形成されている。第２サンプル画像Ｐ２は、矩形状の画像が第２色Ｃ２で形成されている。第３サンプル画像Ｐ３は、矩形状の画像が第３色Ｃ３で形成されている。第４サンプル画像Ｐ４は、矩形状の画像が第４色Ｃ４で形成されている。
【００３６】
また、凡例ＬＧには、第１画像Ｇ１１〜第４画像Ｇ１４の各々が示す対象が記載されている。例えば、第１サンプル画像Ｐ１に対応付けて「ラーメン」の文字が記載され、第１画像Ｇ１１が「ラーメン」に対応することを示している。すなわち、好きな麺類が「ラーメン」である人数は、全体の人数の４０％である。第２サンプル画像Ｐ２に対応付けて「うどん」の文字が記載され、第２画像Ｇ１２が「うどん」に対応することを示している。すなわち、好きな麺類が「うどん」である人数は、全体の人数の３０％である。
【００３７】
第３サンプル画像Ｐ３に対応付けて「そば」が記載され、第３画像Ｇ１３が「そば」の文字に対応することを示している。すなわち、好きな麺類が「そば」である人数は、全体の人数の２０％である。第４サンプル画像Ｐ４に対応付けて「スパゲティ」の文字が記載され、第４画像Ｇ１４が「スパゲティ」に対応することを示している。すなわち、好きな麺類が「スパゲティ」である人数は、全体の人数の１０％である。
【００３８】
円グラフＧ１では、第１画像Ｇ１１は、第４画像Ｇ１４及び第２画像Ｇ１２の各々と隣接し、第２画像Ｇ１２は、第１画像Ｇ１１及び第３画像Ｇ１３の各々と隣接する。また、第３画像Ｇ１３は、第２画像Ｇ１２及び第４画像Ｇ１４の各々と隣接し、第４画像Ｇ１４は、第３画像Ｇ１３及び第１画像Ｇ１１の各々と隣接する。よって、互いに隣接する領域の色の差が明確に判別できる必要がある。すなわち、色の再現性が高いことが要求される。
【００３９】
また、第１サンプル画像Ｐ１〜第４サンプル画像Ｐ４の各々の色が、第１画像Ｇ１１〜第４画像Ｇ１４の各々の色と一致することによって、各領域が示す対象物を認識することができる。よって、各領域の色と各サンプル画像の色とを正確に一致させる必要がある。すなわち、色の再現性が高いことが要求される。
【００４０】
図３（ｂ）は、棒グラフＧ２の一例を示す図である。図３（ｂ）に示すように、棒グラフＧ２は、横軸ＨＡ、縦軸ＶＡ、目盛線ＧＬ、第１棒画像Ｇ２１、第２棒画像Ｇ２２、第３棒画像Ｇ２３及び第４棒画像Ｇ２４を有する。
【００４１】
横軸ＨＡは、各対象を示し、左側から右側に向けて、「ラーメン」の文字、「うどん」の文字、「そば」の文字、及び「スパゲティ」の文字が記載されている。縦軸ＶＡは、横軸に示す各対象の人数の全体の人数に対する割合を示す。目盛線ＧＬは、第１棒画像Ｇ２１〜第４棒画像Ｇ２４の示す割合（縦軸の数値）が読み取り易いように、横軸と平行に形成された線分を示す。
【００４２】
第１棒画像Ｇ２１は、「ラーメン」の好きな人数の全体の人数に対する割合を示す。第２棒画像Ｇ２２は、「うどん」の好きな人数の全体の人数に対する割合を示す。第３棒画像Ｇ２３は、「そば」の好きな人数の全体の人数に対する割合を示す。第４棒画像Ｇ２４は、「スパゲティ」の好きな人数の全体の人数に対する割合を示す。
【００４３】
棒グラフＧ２では、横軸ＨＡに第１棒画像Ｇ２１〜第４棒画像Ｇ２４の各々に対応する対象が記載されているため、第１棒画像Ｇ２１〜第４棒画像Ｇ２４を１つの色（例えば、青色）で形成しても、第１棒画像Ｇ２１〜第４棒画像Ｇ２４の各々を区別できる。したがって、図３（ａ）に示す円グラフＧ１と比較して、画像の色の品質（例えば、再現性）に対する要求が低い。
【００４４】
次に、図１〜図４を参照して、本発明の実施形態に係る制御部８の構成について説明する。図４は、制御部８の構成の一例を示す図である。
【００４５】
図４に示すように、制御部８は、第１判定部８０１、第２判定部８０２、第３判定部８０３、第４判定部８０４、変更部８０５及び指示部８０６を備える。具体的には、制御部８のプロセッサー８１は、制御プログラムを実行することによって、第１判定部８０１、第２判定部８０２、第３判定部８０３、第４判定部８０４、変更部８０５及び指示部８０６として機能する。なお、制御部８の構成については、後述にて図８を参照して更に説明する。
【００４６】
第１判定部８０１は、トナー供給部１３に装着されたトナーコンテナＴＣが、第１コンテナＴＣ１であるか、第１コンテナＴＣ１と相違する第２コンテナＴＣ２であるかを判定する。第１コンテナＴＣ１は、例えば、専用品を示す。第２コンテナＴＣ２は、例えば、非専用品を示す。
【００４７】
具体的には、第１判定部８０１は、リーダー７を介して、トナー供給部１３に装着されたトナーコンテナＴＣの識別情報ＪＤを取得する。そして、第１判定部８０１は、トナーコンテナＴＣの識別情報ＪＤに基づいて、トナーコンテナＴＣが、第１コンテナＴＣ１であるか、第２コンテナＴＣ２であるかを判定する。第１コンテナＴＣ１は、「第１交換部品」の一例に相当し、第２コンテナＴＣ２は、「第２交換部品」の一例に相当する。
【００４８】
第２判定部８０２は、画像Ｍを示す画像情報ＭＪがグラフオブジェクトＢＧを含むか否かを判定する。画像Ｍは、印刷ジョブＪＢに応じて、画像形成部４が用紙Ｐに形成する画像を示す。印刷ジョブＪＢについては、後述にて図８を参照して詳細に説明する。グラフオブジェクトＢＧは、グラフを示すオブジェクトである。
【００４９】
第３判定部８０３は、グラフオブジェクトＢＧのグラフ形式ＧＦが、第１グラフ形式ＧＦ１であるか否かを判定する。第１グラフ形式ＧＦ１は、円グラフを含む。
【００５０】
第４判定部８０４は、グラフ形式ＧＦの変更を許可するか否かを判定する。具体的には、第４判定部８０４は、タッチパネル１４１に対するユーザーの入力に基づいて、グラフ形式ＧＦの変更を許可するか否かを判定する。
【００５１】
変更部８０５は、第１判定部８０１の判定結果と第２判定部８０２の判定結果とに基づいて、グラフオブジェクトＢＧの画像形態を変更する。画像形態は、グラフオブジェクトＢＧに対応するグラフ画像ＧＭの形態を示す。画像形態は、グラフ形式ＧＦを含む。
【００５２】
具体的には、トナー供給部１３に装着されたトナーコンテナＴＣが第２コンテナＴＣ２であると第１判定部８０１が判定し、且つ画像Ｍを示す画像情報ＭＪがグラフオブジェクトＢＧを含むと第２判定部８０２が判定した場合に、変更部８０５は、グラフオブジェクトＢＧの画像形態を変更する。また、グラフオブジェクトＢＧのグラフ形式ＧＦが第１グラフ形式ＧＦ１であると第３判定部８０３が判定した場合には、変更部８０５は、グラフオブジェクトＢＧのグラフ形式ＧＦを第１グラフ形式ＧＦ１から第２グラフ形式ＧＦ２に変更する。
【００５３】
第２グラフ形式ＧＦ２は、第１グラフ形式ＧＦ１と相違する。第２グラフ形式ＧＦ２は、棒グラフを含む。例えば、変更部８０５は、図３に示す円グラフＧ１を棒グラフＧ２に変更する。
【００５４】
指示部８０６は、印刷ジョブＪＢを実行する。具体的には、指示部８０６は、印刷ジョブＪＢに対応する画像Ｍを用紙Ｐに形成するように画像形成部４を制御する。
【００５５】
以上、図１〜図４を参照して説明したように、本発明の実施形態では、第２コンテナＴＣ２（非専用品）が装着されている場合には、用紙Ｐに形成される画像Ｍの品位が充分ではない可能性がある。第２コンテナＴＣ２が装着されている場合に、グラフオブジェクトＢＧの画像形態を変更する。よって、グラフ画像ＧＭの表す内容の視認性を向上することが可能になる。したがって、ユーザーの利便性を向上できる。
【００５６】
また、グラフオブジェクトＢＧのグラフ形式ＧＦが第１グラフ形式ＧＦ１である場合に、グラフ形式ＧＦを変更する。具体的には、グラフ形式ＧＦを第１グラフ形式ＧＦ１から第２グラフ形式ＧＦ２に変更する。例えば、円グラフを棒グラフに変更する。図３（ａ）を参照して説明したように、円グラフＧ１では互いに隣接する２つの領域の画像の品質（例えば、色の再現性）が充分ではない場合には、両者の境界を視認できない可能性がある。円グラフＧ１を棒グラフＧ２に変更するため、グラフ画像ＧＭの内容の視認性を更に向上できる。したがって、ユーザーの利便性を更に向上できる。
【００５７】
次に、図３〜図５を参照して、制御部８の処理について説明する。図５は、売上金額の推移を示す。図５（ａ）は、棒グラフＧ３の一例を示す図である。
【００５８】
図５（ａ）に示すように、棒グラフＧ３は、横軸ＨＡ、縦軸ＶＡ、目盛線ＧＬ、第１棒画像Ｇ３１、第２棒画像Ｇ３２、第３棒画像Ｇ３３、第４棒画像Ｇ３４及び第５棒画像Ｇ３５を有する。
【００５９】
横軸ＨＡは、年を示し、左側から右側に向けて、「２０１２年」の文字、「２０１３年」の文字、「２０１４年」の文字、「２０１５」の文字、及び「２０１６年」の文字が記載されている。縦軸ＶＡは、売上金額を示す。目盛線ＧＬは、第１棒画像Ｇ３１〜第５棒画像Ｇ３５の示す売上金額（縦軸の数値）が読み取り易いように、横軸と平行に形成された線分を示す。
【００６０】
第１棒画像Ｇ２１は、第１色Ｃ１（例えば、青色）で形成された矩形状の画像であり、「２０１２年」の売上金額を示す。第２棒画像Ｇ２２は、第２色Ｃ２（例えば、赤色）で形成された矩形状の画像であり、「２０１３年」の売上金額を示す。第３棒画像Ｇ２３は、第３色Ｃ３（例えば、緑色）で形成された矩形状の画像であり、「２０１４年」の売上金額を示す。第４棒画像Ｇ２４は、第４色Ｃ４（例えば、紫色）で形成された矩形状の画像であり、「２０１５年」の売上金額を示す。第５棒Ｇ２５は、第５色Ｃ５（例えば、黄色）で形成された矩形状の画像であり、「２０１６年」の売上金額を示す。第１色Ｃ１〜第５色Ｃ５は、互いに相違する色を示す。
【００６１】
棒グラフＧ３の第１棒画像Ｇ２１〜第５棒Ｇ２５は、互いに相違する色で形成されているため、色の再現性が高いことが要求される。
【００６２】
図５（ｂ）は、折れ線グラフＧ４の一例を示す図である。図５（ｂ）に示すように、折れ線グラフＧ４は、横軸ＨＡ、縦軸ＶＡ、目盛線ＧＬ及びグラフ本体Ｇ４１を含む。
【００６３】
横軸ＨＡは、図５（ａ）に示す横軸ＨＡと同一であり、年を示す。縦軸ＶＡは、図５（ａ）に示す縦軸ＶＡと同一であり、売上金額を示す。目盛線ＧＬは、図５（ａ）に示す目盛線ＧＬと同一であり、横軸ＨＡと平行に形成された線分を示す。グラフ本体Ｇ４１は、売上金額の推移を示す。グラフ本体Ｇ４１は、１つの色で形成されるため、図５（ａ）に示す棒グラフＧ３と比較して、色の再現性に対する要求は低い。
【００６４】
次に、図５を参照して、制御部８の処理について説明する。トナー供給部１３に装着されたトナーコンテナＴＣが第２コンテナＴＣ２であると第１判定部８０１が判定し、且つ画像Ｍを示す画像情報ＭＪがグラフオブジェクトＢＧを含むと第２判定部８０２が判定した場合に、変更部８０５は、グラフオブジェクトＢＧのグラフ形式ＧＦを第１グラフ形式ＧＦ１から第２グラフ形式ＧＦ２に変更する。第１グラフ形式ＧＦ１は、棒グラフを含む。第２グラフ形式ＧＦ２は、折れ線グラフを含む。例えば、変更部８０５は、図５（ａ）に示す棒グラフＧ３を図５（ｂ）に示す折れ線グラフＧ４に変更する。
【００６５】
以上、図３〜図５を参照して説明したように、本発明の実施形態では、第１グラフ形式ＧＦ１は、棒グラフを含む。第２グラフ形式ＧＦ２は、折れ線グラフを含む。例えば、図５（ａ）を参照して説明したように、棒グラフＧ３の第１棒画像Ｇ２１〜第５棒Ｇ２５が、互いに相違する色で形成されているため、色の再現性が高いことが要求される。例えば、図５（ａ）に示す棒グラフＧ３を図５（ｂ）に示す折れ線グラフＧ４に変更することによって、グラフ画像ＧＭの内容の視認性を更に向上できる。したがって、ユーザーの利便性を更に向上できる。
【００６６】
次に、図３〜図７を参照して、制御部８の「変更処理」について説明する。「変更処理」は、グラフオブジェクトＢＧのグラフ形式ＧＦを変更する処理を示す。図６及び図７の各々は、制御部８の「変更処理」の一例を示すフローチャートである。なお、図６及び図７では、トナー供給部１３に装着されたトナーコンテナＴＣが第２コンテナＴＣ２であると第１判定部８０１が判定し、且つ画像Ｍを示す画像情報ＭＪがグラフオブジェクトＢＧを含むと第２判定部８０２が判定した場合について説明する。また、「変更処理」は、図１０のステップＳ２１１において実行される。
【００６７】
図６に示すように、ステップＳ１０１において、第３判定部８０３は、グラフオブジェクトＢＧのグラフ形式ＧＦが円グラフであるか否かを判定する。
グラフ形式ＧＦが円グラフではないと第３判定部８０３が判定した場合（ステップＳ１０１でＮＯ）には、処理がステップＳ１０９に進む。グラフ形式ＧＦが円グラフであると第３判定部８０３が判定した場合（ステップＳ１０１でＹＥＳ）には、処理がステップＳ１０３に進む。
そして、ステップＳ１０３において、制御部８は、円グラフが割合を示すか否かを判定する。具体的には、円グラフ内に記載された文字に基づいて、制御部８は、円グラフが割合を示すか否かを判定する。例えば、円グラフ内に記載された文字が「％」との文字を含むか否かに応じて、制御部８は、円グラフが割合を示すか否かを判定する。
円グラフが割合を示さないと制御部８が判定した場合（ステップＳ１０３でＮＯ）には、処理がステップＳ１１５に進む。円グラフが割合を示すと制御部８が判定した場合（ステップＳ１０３でＹＥＳ）には、処理がステップＳ１０５に進む。
【００６８】
そして、ステップＳ１０５において、第４判定部８０４は、グラフ形式ＧＦの変更を許可するか否かを判定する。
グラフ形式ＧＦの変更を許可しないと第４判定部８０４が判定した場合（ステップＳ１０５でＮＯ）には、処理が図７のステップＳ１１９に進む。グラフ形式ＧＦの変更を許可すると第４判定部８０４が判定した場合（ステップＳ１０５でＹＥＳ）には、処理がステップＳ１０７に進む。
そして、ステップＳ１０７において、変更部８０５は、グラフ形式ＧＦを円グラフから棒グラフに変更し、処理が図１０のステップＳ２１３にリターンする。
【００６９】
ステップＳ１０１でＮＯの場合には、ステップＳ１０９において、第３判定部８０３は、グラフオブジェクトＢＧのグラフ形式ＧＦが棒グラフであるか否かを判定する。
グラフオブジェクトＢＧのグラフ形式ＧＦが棒グラフではないと第３判定部８０３が判定した場合（ステップＳ１０９でＮＯ）には、処理が図７のステップＳ１１９に進む。グラフオブジェクトＢＧのグラフ形式ＧＦが棒グラフであると第３判定部８０３が判定した場合（ステップＳ１０９でＹＥＳ）には、処理がステップＳ１１１に進む。
そして、ステップＳ１１１において、制御部８は、グラフオブジェクトＢＧのグラフ形式ＧＦが「積み上げ棒グラフ」であるか否かを判定する。「積み上げ棒グラフ」とは、同じ項目内の複数個の要素を積み上げるようにして表現された棒グラフを示す。
例えば、図５（ａ）に示す棒グラフＧ３では、売上金額を示す第１棒画像Ｇ３１〜第５棒画像Ｇ３５を含む。この売上金額の内訳が判るように、第１棒画像Ｇ３１〜第５棒画像Ｇ３５の各々を複数に分割したグラフが「積み上げ棒グラフ」である。売上金額の内訳として、例えば、商品Ａ、商品Ｂ、商品Ｃ及びその他の４項目を記載する場合には、商品Ａの売上金額を示す棒画像が横軸に連結して記載され、商品Ａの売上金額を示す棒画像の上側に商品Ｂの売上金額を示す棒画像が記載される。そして、商品Ｂの売上金額を示す棒画像の上側に商品Ｃの売上金額を示す棒画像が記載され、商品Ｃの売上金額を示す棒画像の上側にその他の売上金額を示す棒画像が記載される。このようにして、第１棒画像Ｇ３１〜第５棒画像Ｇ３５の各々を４つに分割した「積み上げ棒グラフ」が生成される。
【００７０】
グラフオブジェクトＢＧのグラフ形式ＧＦが「積み上げ棒グラフ」であると制御部８が判定した場合（ステップＳ１１１でＹＥＳ）には、図７のステップＳ１１９に進む。グラフオブジェクトＢＧのグラフ形式ＧＦが「積み上げ棒グラフ」ではないと制御部８が判定した場合（ステップＳ１１１でＮＯ）には、処理がステップＳ１１３に進む。
そして、ステップＳ１１３において、制御部８は、棒グラフが複数色を含むか否かを判断する。具体的には、図５（ａ）に示す棒グラフＧ３のように、第１棒画像Ｇ２１〜第５棒Ｇ２５の各々が互いに相違する色で形成されている場合には、制御部８は、棒グラフが複数色を含むと判定する。
棒グラフが複数色を含まないと制御部８が判定した場合（ステップＳ１１３でＮＯ）には、処理が図１０のステップＳ３１２にリターンする。棒グラフが複数色を含むと制御部８が判定した場合（ステップＳ１１３でＹＥＳ）には、処理がステップＳ１１５に進む。
そして、ステップＳ１１５において、第４判定部８０４は、グラフ形式ＧＦの変更を許可するか否かを判定する。
グラフ形式ＧＦの変更を許可しないと第４判定部８０４が判定した場合（ステップＳ１１５でＮＯ）には、処理が図７のステップＳ１１９に進む。グラフ形式ＧＦの変更を許可すると第４判定部８０４が判定した場合（ステップＳ１１５でＹＥＳ）には、処理がステップＳ１１７に進む。
そして、ステップＳ１１７において、変更部８０５は、グラフ形式ＧＦを棒グラフ（又は、円グラフ）から折れ線グラフに変更し、処理が図１０のステップＳ２１３にリターンする。
【００７１】
ステップＳ１０５でＮＯの場合、ステップＳ１０９でＮＯの場合、ステップＳ１１１でＹＥＳの場合、及びステップＳ１１５でＮＯの場合には、図７に示すように、ステップＳ１１９において、第４判定部８０４は、グラフ画像ＭＧのサイズＳＺの変更を許可するか否かを判定する。グラフオブジェクトＢＧの画像形態は、グラフ画像ＭＧのサイズＳＺを含む。
具体的には、第４判定部８０４は、タッチパネル１４１に対するユーザーの入力に基づいて、グラフ画像ＭＧのサイズＳＺの変更を許可するか否かを判定する。
グラフ画像ＭＧのサイズＳＺの変更を許可しないと第４判定部８０４が判定した場合（ステップＳ１１９でＮＯ）には、処理が図１０のステップＳ２１３にリターンする。グラフ画像ＭＧのサイズＳＺの変更を許可すると第４判定部８０４が判定した場合（ステップＳ１１９でＹＥＳ）には、処理がステップＳ１２１に進む。
そして、ステップＳ１２１において、制御部８は、タッチパネル１４１に対するユーザーの入力に基づいて、拡大率ＲＴを受け付ける。
次に、ステップＳ１２３において、変更部８０５は、グラフ画像ＭＧのサイズＳＺを拡大率ＲＴに応じて拡大し、処理が図１０のステップＳ２１３にリターンする。
【００７２】
以上、図３〜図７を参照して説明したように、本発明の実施形態では、グラフ形式ＧＦの変更を許可するか否かを判定する。そして、例えば、グラフ形式ＧＦの変更を許可しない場合には、グラフオブジェクトＢＧに対応するグラフ画像ＭＧのサイズＳＺを変更する。例えば、グラフ画像ＭＧのサイズＳＺを大きくすることによって、グラフの内容の視認性を向上できる。
【００７３】
また、グラフオブジェクトＢＧのグラフ形式ＧＦが円グラフであり、且つグラフオブジェクトＢＧの円グラフが割合を示す円グラフではない場合には、グラフ形式ＧＦを円グラフから折れ線グラフに変更する。円グラフでは、図３（ａ）を参照して説明したように、互いに隣接する２つの領域の色の再現性が充分ではない場合には、両者の境界を視認できない可能性がある。円グラフを折れ線グラフにすることによって、グラフ画像ＧＭの表す内容の視認性を向上できる。したがって、ユーザーの利便性を更に向上できる。
【００７４】
更に、グラフオブジェクトＢＧのグラフ形式ＧＦが棒グラフであり、グラフ形式ＧＦが積み上げ棒グラフではなく、且つグラフオブジェクトＢＧに対応するグラフ画像ＧＭが複数色を含む場合には、グラフ形式ＧＦを棒グラフから折れ線グラフに変更する。図５（ａ）を参照して説明したように、複数色を含む棒グラフは、色の再現性が高いことが要求される。一方、トナー供給部１３に装着されたトナーコンテナＴＣが第２コンテナＴＣ２である場合には、用紙Ｐに形成される画像の品質（例えば、色の再現性）がユーザーの要求する品質を満たさない可能性がある。グラフ形式ＧＦを棒グラフから折れ線グラフに変更することによって、グラフ画像ＧＭの表す内容の視認性を向上できる。したがって、ユーザーの利便性を更に向上できる。
【００７５】
なお、グラフ形式ＧＦが積み上げ棒グラフである場合には、積み上げ棒グラフを折れ線グラフに変更することによって、グラフ画像ＧＭの表す内容が変化する可能性がある。そこで、グラフ形式ＧＦを棒グラフから折れ線グラフに変更することが規制される。
【００７６】
次に、図３〜図８を参照して、本発明の実施形態に係る制御部８の構成について説明する。図８は、制御部８の構成の一例を示す図である。図８に示すように、画像形成装置１００は、パーソナルコンピューター２００と通信可能に接続される。
【００７７】
また、図８に示すように、制御部８は、受付部８０７、処理部８０８、第５判定部８０９、第６判定部８１０及び抽出部８１１を更に備える。具体的には、制御部８のプロセッサー８１は、制御プログラムを実行することによって、受付部８０７、処理部８０８、第５判定部８０９、第６判定部８１０及び抽出部８１１として更に機能する。
【００７８】
受付部８０７は、印刷ジョブＪＢを受け付ける。印刷ジョブＪＢは、用紙Ｐに画像を形成するジョブを示す。印刷ジョブＪＢは、プリントジョブＰＪとコピージョブＣＪとを含む。プリントジョブＰＪは、パーソナルコンピューター２００からの指示に応じて、用紙Ｐに画像Ｍを形成するジョブを示す。コピージョブＣＪは、画像読取ユニット２によって生成された画像情報ＭＪに対応する画像Ｍを用紙Ｐに形成するジョブを示す。受付部８０７は、タッチパネル１４１に対するユーザーの入力に基づいて、コピージョブＣＪを受け付ける。
【００７９】
処理部８０８は、画像情報ＭＪに対して文字認識処理を実行し、テキスト情報ＴＸを生成する。画像情報ＭＪは、画像読取ユニット２によって生成される。すなわち、受付部８０７がコピージョブＣＪを受け付けた場合に、処理部８０８は、画像読取ユニット２によって生成された画像情報ＭＪに対して文字認識処理を実行し、テキスト情報ＴＸを生成する。
【００８０】
第５判定部８０９は、テキスト情報ＴＸが第１テキスト情報ＴＸ１を含むか否かを判定する。第１テキスト情報ＴＸ１は、「図」という文字、又は「グラフ」という文字を示す。
【００８１】
第６判定部８１０は、テキスト情報ＴＸが第２テキスト情報ＴＸ２を含むか否かを判定する。第２テキスト情報ＴＸ２は、「上図」という文字、「下図」という文字、「右図」という文字、又は「左図」という文字を示す。
【００８２】
抽出部８１１は、第５判定部８０９の判定結果と第６判定部８１０の判定結果とに基づき、画像情報ＭＪからグラフオブジェクトＢＧを抽出する。
【００８３】
以上、図３〜図８を参照して説明したように、本発明の実施形態では、画像情報ＭＪに対して文字認識処理を実行し、テキスト情報ＴＸを生成する。テキスト情報ＴＸが、「図」という文字又は「グラフ」という文字を示す第１テキスト情報ＴＸ１を含む場合には、第１テキスト情報ＴＸ１に対応する画像の上側にグラフオブジェクトＢＧに対応するグラフ画像ＧＭが配置されている可能性が高い。そこで、例えば、第１テキスト情報ＴＸ１に対応する画像の上側を優先して探索することによってグラフオブジェクトＢＧを抽出する。したがって、画像情報ＭＪからグラフオブジェクトＢＧを効率的に抽出できる。
【００８４】
次に、図３〜図９を参照して、制御部８の処理について更に説明する。図９は、用紙Ｐに形成する画像Ｍを示す画像情報ＭＪの一例を示す図である。図９に示すように、画像情報ＭＪは、テキスト情報ＴＸと、グラフオブジェクトＢＧとを含む。
【００８５】
テキスト情報ＴＸは、「下図」という文字を示す第２テキスト情報ＴＸ２を含む。第２テキスト情報ＴＸ２は、テキスト情報ＴＸの下から３行目に記載されている。
【００８６】
グラフオブジェクトＢＧは、テキスト情報ＴＸの下側に配置されている。グラフオブジェクトＢＧは、棒グラフを示す。
【００８７】
次に、図９を参照して、制御部８の処理について更に説明する。テキスト情報ＴＸが、「下図」という文字を示す第２テキスト情報ＴＸ２を含むため、制御部８は、画像情報ＭＪにおいて、第２テキスト情報ＴＸ２の配置されている位置の下側にグラフオブジェクトＢＧが有るか否かを探索する。そして、抽出部８１１は、第２テキスト情報ＴＸ２の配置されている位置の下側に配置されているグラフオブジェクトＢＧを抽出する。
【００８８】
以上、図３〜図９を参照して説明したように、本発明の実施形態では、テキスト情報ＴＸが、「上図」、という文字「下図」という文字、「右図」、又は「左図」という文字を示す第２テキスト情報ＴＸ２を含むか否かを判定する。例えば、「下図」という文字を示す第２テキスト情報ＴＸ２を含む場合には、第２テキスト情報ＴＸ２の下側にグラフオブジェクトＢＧが配置されている可能性が高い。そこで、例えば、第２テキスト情報ＴＸ２の下側を優先してグラフオブジェクトＢＧを探索する。したがって、画像情報ＭＪからグラフオブジェクトＢＧを更に効率的に抽出できる。
【００８９】
次に、図３〜図１０を参照して、制御部８の処理について更に説明する。図１０は、制御部８の処理の一例を示すフローチャートである。図１０では、第１判定部８０１が、トナー供給部１３に装着されたトナーコンテナＴＣが第２コンテナＴＣ２であると判定し、且つ、受付部８０７が、コピージョブＣＪを受け付けた場合について説明する。
図１０に示すように、ステップＳ２０１において、処理部８０８は、画像情報ＭＪに対して文字認識処理を実行する。
次に、ステップＳ２０３において、第５判定部８０９は、テキスト情報ＴＸが第１テキスト情報ＴＸ１を含むか否かを判定する。
テキスト情報ＴＸが第１テキスト情報ＴＸ１を含まないと第５判定部８０９が判定した場合（ステップＳ２０３でＮＯ）には、処理がステップＳ２１３に進む。テキスト情報ＴＸが第１テキスト情報ＴＸ１を含むと第５判定部８０９が判定した場合（ステップＳ２０３でＹＥＳ）には、処理がステップＳ２０５に進む。
そして、ステップＳ２０５において、抽出部８１１は、「抽出処理」を実行する。「抽出処理」は、画像情報ＭＪからグラフオブジェクトＢＧを抽出する処理を示す。「抽出処理」については、後述にて図１１〜図１３を参照して詳細に説明する。
【００９０】
次に、ステップＳ２０７において、制御部８は、図オブジェクトＢＦが抽出されたか否かを判定する。図オブジェクトＢＦは、図を示すオブジェクトである。
図オブジェクトＢＦが抽出されていないと制御部８が判定した場合（ステップＳ２０７でＮＯ）には、処理がステップＳ２１３に進む。図オブジェクトＢＦが抽出されたと制御部８が判定した場合（ステップＳ２０７でＹＥＳ）には、処理がステップＳ２０９に進む。
そして、ステップＳ２０９において、制御部８は、グラフオブジェクトＢＧが抽出されたか否かを判定する。
グラフオブジェクトＢＧが抽出されていないと制御部８が判定した場合（ステップＳ２０９でＮＯ）には、処理がステップＳ２１３に進む。グラフオブジェクトＢＧが抽出されたと制御部８が判定した場合（ステップＳ２０９でＹＥＳ）には、処理がステップＳ２１１に進む。
そして、ステップＳ２１１において、制御部８は、「変更処理」を実行する。「変更処理」については、図６及び図７を参照して詳細に説明した。
【００９１】
次に、ステップＳ２１３において、制御部８は、タッチパネル１４１に対するユーザーの入力に基づいて、画像Ｍを用紙Ｐに形成するか否かを判定する。
画像Ｍを用紙Ｐに形成しないと制御部８が判定した場合（ステップＳ２１３でＮＯ）には、処理が終了する。画像Ｍを用紙Ｐに形成すると制御部８が判定した場合（ステップＳ２１３でＹＥＳ）には、処理がステップＳ２１５に進む。
そして、ステップＳ２１５において、指示部８０６は、コピージョブＣＪに対応する画像Ｍを用紙Ｐに形成するように画像形成部４を制御し、処理が終了する。
【００９２】
次に、図３〜図１３を参照して、制御部８の「抽出処理」について更に説明する。図１１〜図１３の各々は、制御部８の「抽出処理」の一例を示すフローチャートである。
図１１に示すように、ステップＳ３０１において、制御部８は、第１テキスト情報ＴＸ１が文章中にあるか否かを判定する。「第１テキスト情報ＴＸ１が文章中にある」とは、図９に示すように第１テキスト情報ＴＸ１が文章の一部を構成していることを示す。
第１テキスト情報ＴＸ１が文章中にはないと制御部８が判定した場合（ステップＳ３０１でＮＯ）には、処理が図１２に示すステップＳ３０７に進む。第１テキスト情報ＴＸ１が文章中にあると制御部８が判定した場合（ステップＳ３０１でＹＥＳ）には、処理がステップＳ３０３に進む。
そして、ステップＳ３０３において、第６判定部８１０は、テキスト情報ＴＸが第２テキスト情報ＴＸ２を含むか否かを判定する。
テキスト情報ＴＸが第２テキスト情報ＴＸ２を含まないと第６判定部８１０が判定した場合（ステップＳ３０３でＮＯ）には、処理が図１３に示すステップＳ３１７に進む。テキスト情報ＴＸが第２テキスト情報ＴＸ２を含むと第６判定部８１０が判定した場合（ステップＳ３０３でＹＥＳ）には、処理がステップＳ３０５に進む。
そして、ステップＳ３０５において、制御部８は、「探索処理」を実行し、処理が図１０のステップＳ２０７にリターンする。「探索処理」は、第２テキスト情報ＴＸ２に基づいて、画像情報ＭＪに含まれる図オブジェクトＢＦを探索する処理を示す。「探索処理」については、後述にて図１４及び図１５を参照して詳細に説明する。
【００９３】
ステップＳ３０１でＮＯの場合には、図１２に示すように、ステップＳ３０７において、制御部８は、第１テキスト情報ＴＸ１の上側において図オブジェクトＢＦを探索する。
次に、ステップＳ３０９において、制御部８は、図オブジェクトＢＦが有ったか否かを判定する。
図オブジェクトＢＦが有ったと制御部８が判定した場合（ステップＳ３０９でＹＥＳ）には、処理が図１０のステップＳ２０７にリターンする。図オブジェクトＢＦが無かったと制御部８が判定した場合（ステップＳ３０９でＮＯ）には、処理がステップＳ３１１に進む。
そして、ステップＳ３１１において、制御部８は、画像情報ＭＪの全領域において図オブジェクトＢＦを探索する。
【００９４】
次に、ステップＳ３１３において、制御部８は、図オブジェクトＢＦが有ったか否かを判定する。
図オブジェクトＢＦが有ったと制御部８が判定した場合（ステップＳ３１３でＹＥＳ）には、処理が図１０のステップＳ２０７にリターンする。図オブジェクトＢＦが無かったと制御部８が判定した場合（ステップＳ３１３でＮＯ）には、処理がステップＳ３１５に進む。
そして、ステップＳ３１５において、制御部８は、ステップＳ３１１の処理を開始した時点から所定時間Ｔが経過したか否かを判定する。所定時間Ｔは、例えば、０．５秒である。
所定時間Ｔが経過していないと制御部８が判定した場合（ステップＳ３１５でＮＯ）には、処理がステップＳ３１１に戻る。所定時間Ｔが経過したと制御部８が判定した場合（ステップＳ３１５でＹＥＳ）には、処理が図１０のステップＳ２０７にリターンする。
【００９５】
図１１に示すステップＳ３０３でＮＯの場合には、図１３に示すように、ステップＳ３１７において、制御部８は、第１テキスト情報ＴＸ１の周辺において図オブジェクトＢＦを探索する。「第１テキスト情報ＴＸ１の周辺」とは、例えば、第１テキスト情報ＴＸ１から所定距離以内の領域を示す。所定距離は、例えば、５０ｍｍである。
次に、ステップＳ３１９において、制御部８は、図オブジェクトＢＦが有ったか否かを判定する。
図オブジェクトＢＦが有ったと制御部８が判定した場合（ステップＳ３１９でＹＥＳ）には、処理が図１０のステップＳ２０７にリターンする。図オブジェクトＢＦが無かったと制御部８が判定した場合（ステップＳ３１９でＮＯ）には、処理がステップＳ３２１に進む。
そして、ステップＳ３２１において、制御部８は、画像情報ＭＪの全領域において図オブジェクトＢＦを探索する。
【００９６】
次に、ステップＳ３２３において、制御部８は、図オブジェクトＢＦが有ったか否かを判定する。
図オブジェクトＢＦが有ったと制御部８が判定した場合（ステップＳ３２３でＹＥＳ）には、処理が図１０のステップＳ２０７にリターンする。図オブジェクトＢＦが無かったと制御部８が判定した場合（ステップＳ３２３でＮＯ）には、処理がステップＳ３２５に進む。
そして、ステップＳ３２５において、制御部８は、ステップＳ３２１の処理を開始した時点から所定時間Ｔが経過したか否かを判定する。所定時間Ｔは、例えば、０．５秒である。
所定時間Ｔが経過していないと制御部８が判定した場合（ステップＳ３２５でＮＯ）には、処理がステップＳ３２１に戻る。所定時間Ｔが経過したと制御部８が判定した場合（ステップＳ３２５でＹＥＳ）には、処理が図１０のステップＳ２０７にリターンする。
【００９７】
次に、図３〜図１５を参照して、制御部８の「探索処理」について更に説明する。図１４及び図１５の各々は、制御部８の「探索処理」の一例を示すフローチャートである。
【００９８】
図１４に示すように、ステップＳ４０１において、制御部８は、第２テキスト情報ＴＸ２が「上図」であるか否かを判定する。
第２テキスト情報ＴＸ２が「上図」という文字であると制御部８が判定した場合（ステップＳ４０１でＹＥＳ）には、処理がステップＳ４０３に進む。
そして、ステップＳ４０３において、制御部８は、第２テキスト情報ＴＸ２の上側において図オブジェクトＢＦを探索し、処理が図１５のステップＳ４１５に進む。
第２テキスト情報ＴＸ２が「上図」という文字ではないと制御部８が判定した場合（ステップＳ４０１でＮＯ）には、処理がステップＳ４０５に進む。
そして、ステップＳ４０５において、制御部８は、第２テキスト情報ＴＸ２が「下図」であるか否かを判定する。
第２テキスト情報ＴＸ２が「下図」という文字であると制御部８が判定した場合（ステップＳ４０５でＹＥＳ）には、処理がステップＳ４０７に進む。
そして、ステップＳ４０７において、制御部８は、第２テキスト情報ＴＸ２の下側において図オブジェクトＢＦを探索し、処理が図１５のステップＳ４１５に進む。
【００９９】
第２テキスト情報ＴＸ２が「下図」という文字ではないと制御部８が判定した場合（ステップＳ４０５でＮＯ）には、処理がステップＳ４０９に進む。
そして、ステップＳ４０９において、制御部８は、第２テキスト情報ＴＸ２が「右図」であるか否かを判定する。
第２テキスト情報ＴＸ２が「右図」という文字であると制御部８が判定した場合（ステップＳ４０９でＹＥＳ）には、処理がステップＳ４１１に進む。
そして、ステップＳ４１１において、制御部８は、第２テキスト情報ＴＸ２の右側において図オブジェクトＢＦを探索し、処理が図１５のステップＳ４１５に進む。
第２テキスト情報ＴＸ２が「右図」という文字ではないと制御部８が判定した場合（ステップＳ４０９でＮＯ）には、処理がステップＳ４１３に進む。
そして、ステップＳ４１３において、制御部８は、第２テキスト情報ＴＸ２の左側において図オブジェクトＢＦを探索し、処理が図１５のステップＳ４１５に進む。
【０１００】
そして、ステップＳ４１５において、制御部８は、図オブジェクトＢＦが有ったか否かを判定する。
図オブジェクトＢＦが有ったと制御部８が判定した場合（ステップＳ４１５でＹＥＳ）には、処理が図１０のステップＳ２０７にリターンする。図オブジェクトＢＦが無かったと制御部８が判定した場合（ステップＳ４１５でＮＯ）には、処理がステップＳ４１７に進む。
そして、ステップＳ４１７において、制御部８は、画像情報ＭＪの全領域において図オブジェクトＢＦを探索する。
次に、ステップＳ４１９において、制御部８は、図オブジェクトＢＦが有ったか否かを判定する。
図オブジェクトＢＦが有ったと制御部８が判定した場合（ステップＳ４１９でＹＥＳ）には、処理が図１０のステップＳ２０７にリターンする。図オブジェクトＢＦが無かったと制御部８が判定した場合（ステップＳ４１９でＮＯ）には、処理がステップＳ４２１に進む。
そして、ステップＳ４２１において、制御部８は、ステップＳ４１７の処理を開始した時点から所定時間Ｔが経過したか否かを判定する。所定時間Ｔは、例えば、０．５秒である。
所定時間Ｔが経過していないと制御部８が判定した場合（ステップＳ４２１でＮＯ）には、処理がステップＳ４１７に戻る。所定時間Ｔが経過したと制御部８が判定した場合（ステップＳ４２１でＹＥＳ）には、処理が図１０のステップＳ２０７にリターンする。
【０１０１】
以上、図３〜図１５を参照して説明したように、本発明の実施形態では、第１テキスト情報ＴＸ１が文章中にはない場合には、第１テキスト情報ＴＸ１の上側にグラフオブジェクトＢＧが配置されている可能性が高い。そこで、第１テキスト情報ＴＸ１の上側を優先してグラフオブジェクトＢＧを探索する。したがって、画像情報ＭＪからグラフオブジェクトＢＧを更に効率的に抽出できる。
【０１０２】
また、第１テキスト情報ＴＸ１が文章中にある場合には、第１テキスト情報ＴＸ１の周辺にグラフオブジェクトＢＧが配置されている可能性が高い。そこで、第１テキスト情報ＴＸ１の周辺を優先してグラフオブジェクトＢＧを探索する。したがって、画像情報ＭＪからグラフオブジェクトＢＧを更に効率的に抽出できる。
【０１０３】
また、「上図」という文字を示す第２テキスト情報ＴＸ２を含む場合には、第２テキスト情報ＴＸ２の上側にグラフオブジェクトＢＧが配置されている可能性が高い。そこで、第２テキスト情報ＴＸ２の上側を優先してグラフオブジェクトＢＧを探索する。したがって、画像情報ＭＪからグラフオブジェクトＢＧを更に効率的に抽出できる。
【０１０４】
また、「右図」という文字を示す第２テキスト情報ＴＸ２を含む場合には、第２テキスト情報ＴＸ２の右側にグラフオブジェクトＢＧが配置されている可能性が高い。そこで、第２テキスト情報ＴＸ２の右側を優先してグラフオブジェクトＢＧを探索する。したがって、画像情報ＭＪからグラフオブジェクトＢＧを更に効率的に抽出できる。
【０１０５】
また、「左図」という文字を示す第２テキスト情報ＴＸ２を含む場合には、第２テキスト情報ＴＸ２の左側にグラフオブジェクトＢＧが配置されている可能性が高い。そこで、第２テキスト情報ＴＸ２の左側を優先してグラフオブジェクトＢＧを探索する。したがって、画像情報ＭＪからグラフオブジェクトＢＧを更に効率的に抽出できる。
【０１０６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１０７】
（１）図１及び図２を参照して説明したように、本発明の実施形態では、「消耗品」がトナーであり、「交換部品」がトナーコンテナＴＣであるが、本発明はこれに限定されない。「消耗品」を消費することによって用紙Ｐに画像Ｍを形成すればよい。例えば、「消耗品」がインクであり、「交換部品」がインクカートリッジでもよい。この場合には、「画像形成装置」は、インクジェット記録装置である。
【０１０８】
（２）図１及び図２を参照して説明したように、本発明の実施形態では、画像形成装置１００がカラー複合機であるが、本発明はこれに限定されない。画像形成装置１００が用紙Ｐに画像Ｍを形成すればよい。例えば、画像形成装置１００がモノクロの複合機でもよいし、画像形成装置１００がカラープリンターでもよい。
【０１０９】
（３）図１〜図４を参照して説明したように、本発明の実施形態では、第１コンテナＴＣ１が専用品を示し、第２コンテナＴＣ２が非専用品を示すが、本発明はこれに限定されない。第１コンテナＴＣ１が「第１品質」のトナーを収納し、第２コンテナＴＣ２が「第２品質」のトナーを収納していればよい。「第１品質」のトナーは、「第２品質」のトナーと比較して品質が相違する。例えば、「第１品質」のトナーは、「第２品質」のトナーより品質が高い。
【０１１０】
（４）図３〜図８を参照して説明したように、本発明の実施形態では、受付部８０７は、パーソナルコンピューター２００からプリントジョブＰＪを受け付けるが、本発明はこれに限定されない。受付部８０７は、画像形成装置１００と通信可能に接続された端末装置からプリントジョブＰＪを受け付ければよい。例えば、端末装置は、タブレット端末装置でもよいし、スマートフォンでもよい。
【産業上の利用可能性】
【０１１１】
本発明は、画像形成装置の分野に利用可能である。
【符号の説明】
【０１１２】
１００    画像形成装置
１    画像形成ユニット
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
５    転写部
５１、５１ｃ、５１ｍ、５１ｙ、５１ｋ    一次転写ローラー
５２    二次転写ローラー
５３    駆動ローラー
５４    中間転写ベルト
１３    トナー供給部（装着部）
ＴＣ、ＴＣｃ、ＴＣｍ、ＴＣｙ、ＴＣｋ    トナーコンテナ（交換部品）
ＴＣ１    第１コンテナ（第１交換部品）
ＴＣ２    第２コンテナ（第２交換部品）
６、６１、６２、６３、６４    ＩＣタグ
７、７１、７２、７３、７４    リーダー
１４    操作パネル
１４１    タッチパネル
８    制御部
８１    プロセッサー
８０１    第１判定部
８０２    第２判定部
８０３    第３判定部
８０４    第４判定部
８０５    変換部
８０６    指示部
８０７    受付部
８０８    処理部
８０９    第５判定部
８１０    第６判定部
８１１    抽出部
８２    記憶部
２    画像読取ユニット
３    原稿搬送ユニット
Ｐ    用紙（記録媒体）
ＪＢ    印刷ジョブ
ＰＪ    プリントジョブ
ＣＪ    コピージョブ
Ｍ    画像
ＭＪ    画像情報
ＢＧ    グラフオブジェクト
ＢＦ    グラフ形式
ＢＦ１    第１グラフ形式
ＢＦ２    第２グラフ形式
【図１】
2019136871.tif 000003
【図２】
2019136871.tif 000004
【図３】
2019136871.tif 000005
【図４】
2019136871.tif 000006
【図５】
2019136871.tif 000007
【図６】
2019136871.tif 000008
【図７】
2019136871.tif 000009
【図８】
2019136871.tif 000010
【図９】
2019136871.tif 000011
【図１０】
2019136871.tif 000012
【図１１】
2019136871.tif 000013
【図１２】
2019136871.tif 000014
【図１３】
2019136871.tif 000015
【図１４】
2019136871.tif 000016
【図１５】
2019136871.tif 000017